(57)【要約】【課題】容器本体に容器の蓋に装着後、流通段階において悪戯等の目的で故意に容器の蓋を開封することができない構造であるとともに、開封後の形跡が分かる改ざん防止機能に優れた容器の蓋であり、且つ、複数個の容器の蓋を上方に順に積み重ねるスタック性を安定させることができる容器の蓋を提供する。【解決手段】天板部１と側壁部２と前記側壁部２の外側に突出して形成したスタックリブ部７とを有する合成樹脂材でできた容器の蓋Ａであって、前記側壁部２は上壁部２ａと下壁部２ｂの切離が容易となる第一薄肉部５、５１を形成し、前記下壁部２ｂは、その内側で上方に傾斜して突出して形成された係止片３と、その外側で突出して形成された切離用摘み部６とを有し、下壁部２ｂを係止片３とともに上壁部２ａから分離自在とした容器の蓋Ａである。【選択図】図１
2007216980.tif 000002
【特許請求の範囲】
【請求項１】
上面の天板部と、前記天板部の外周から下端へ延出した環状の側壁部と、前記側壁部の外側に突出して形成したスタックリブ部とを有する合成樹脂材でできた容器の蓋であって、前記側壁部は環状の上壁部と環状の下壁部とからなるとともにその境界位置で第一薄肉部を介して連結されており、前記下壁部は、その内側で上方に傾斜して突出して形成された係止片と、その外側で突出して形成された切離用摘み部とを有してなり、前記切離用摘み部を周方向に摘むことにより前記境界位置で前記下壁部が前記係止片とともに前記上壁部から分離自在とすることを特徴とする容器の蓋。
【請求項２】
前記切離用摘み部は前記下壁部に複数の連結部で連結されて周方向に突出してなることを特徴とする請求項１に記載の容器の蓋。
【請求項３】
前記下壁部に、その外側に突出したスタックリブ部を形成したことを特徴とする請求項１または請求項２に記載の容器の蓋。
【請求項４】
前記上壁部に、その外側に突出したスタックリブ部を形成したことを特徴とする請求項１または請求項２に記載の容器の蓋。
【発明の詳細な説明】
【技術分野】
【０００１】
本発明は、主にアイスクリームやヨーグルトなどの被注出物が入った容器の蓋に関するものである。
【背景技術】
【０００２】
容器本体と蓋体をロック状態にし、包装後における改ざんを防止し得るようした紙容器として、特許文献１に記載の容器本体の周壁の上側外周囲に補強部を設けるとともに、蓋体の環状壁の下側に折曲げ自在な係止壁を連続して設けた紙容器が提案されている。
【０００３】
また、蓋体を容器本体にワンタッチで装着でき、且つ蓋体を容器本体に強固に保持し、改ざん防止性に優れた紙製容器として、特許文献２に記載の胴部壁の開口上端に外側にカールさせて補強した補強部を有する紙製の容器本体に、環状壁部材の折り返し部圧着加工部、傾斜壁部、補強部下面に係止するカール状係止部を設け、環状壁が補強させて折返し部を起こして改ざんすることを困難にした紙製の蓋体を被せた紙製容器の提案がされている。
【０００４】
【特許文献１】特開２０００−２８９７５９号公報
【特許文献２】特開２００４−１８９２５３号公報
【発明の開示】
【発明が解決しようとする課題】
【０００５】
特許文献１に記載の紙容器では、容器本体に蓋体を被せた後に蓋体の係止壁を内周側に折り返し巻締め加工するため、充填包装ラインの作業性に劣る問題がある。また、消費者が商品を購入後、開封するためには蓋体を無理やりこじ開けるなどして破壊しなければならず開封動作が容易でない。更に、容器本体及び蓋体は紙製であるので、容器本体に蓋体を被せた後に蓋体の係止壁が内側に巻締め加工されている場合であっても、前記係止壁を工具などを用いて起こし出すことは容易であり、悪戯を完全に防ぐことはできない構造である。しかも複数個の容器の蓋を上方に順に積み重ねした際に荷崩れが発生するか否かの状態、即ちスタック性を安定させることはできない。
【０００６】
また、特許文献２に記載の紙製容器では、容器本体に蓋体を被せて改ざん防止機能が働いている状態より開封する際、環状壁の上部カール部からスカート壁の下方部まで縦方向に間隔をおいて２本の弱化線を形成して、引き裂き片を上部カール部から弱化線に沿って引き裂くことによって環状壁を破断して開封できる構造を有しているが、縦方向に引き裂いて破断した蓋体をのり付けして元の形状に形成しなおすことは容易であり、のり付けにより再形成された蓋体であるかを、店頭に陳列された商品の中から見極めるのは極めて困難である。更に、特許文献１に記載の紙容器と同様に、特許文献２に記載の紙製容器も素材は紙で形成されているため、容器本体及び蓋体については外からの衝撃に弱く運搬時における振動や衝撃により、容器本体及び蓋体が変形したり破損などがしやすい。しかも複数個の容器の蓋を上方に順に積み重ねした際に荷崩れが発生するか否かの状態、即ちスタック性を安定させることはできない。
【０００７】
本発明の目的は、上記課題を解決し、容器本体に容器の蓋をワンタッチで装着でき、装着後、流通段階において悪戯等の目的で故意に容器の蓋を開封することができない構造であるとともに、開封する場合には、開封後の形跡がすぐに分かる改ざん防止機能に優れた容器の蓋であり、且つ、複数個の容器の蓋を上方に順に積み重ねした際に荷崩れが発生するか否かの状態、即ちスタック性を安定させることができる容器の蓋を提供することである。
【課題を解決するための手段】
【０００８】
本発明は、上面の天板部と、前記天板部の外周から下端へ延出した環状の側壁部と、前記側壁部の外側に突出して形成したスタックリブ部とを有する合成樹脂材でできた容器の蓋であって、前記側壁部は環状の上壁部と環状の下壁部とからなるとともにその境界位置で第一薄肉部を介して連結されており、前記下壁部は、その内側で上方に傾斜して突出して形成された係止片と、その外側で突出して形成された切離用摘み部とを有してなり、前記切離用摘み部を周方向に摘むことにより前記境界位置で前記下壁部が前記係止片とともに前記上壁部から分離自在とすることを特徴とする容器の蓋である。
【０００９】
本発明は、上記容器の蓋において、前記切離用摘み部は前記下壁部に複数の連結部で連結されて周方向に突出してなることを特徴とする。
【００１０】
本発明は、これら容器の蓋において、前記下壁部に、その外側に突出したスタックリブ部を形成したことを特徴とする。
【００１１】
本発明は、これら容器の蓋において、前記上壁部に、その外側に突出したスタックリブ部を形成したことを特徴とする。
【発明の効果】
【００１２】
本発明は、上面の天板部と、前記天板部の外周から下端へ延出した環状の側壁部と、前記側壁部の外側に突出して形成したスタックリブ部とを有する合成樹脂材でできた容器の蓋であって、前記側壁部は環状の上壁部と環状の下壁部とからなるとともにその境界位置で第一薄肉部を介して連結されており、前記下壁部は、その内壁側で上方に傾斜して突出して形成された係止片と、その外側で突出して形成された切離用摘み部とを有してなり、前記切離用摘み部を周方向に摘むことにより前記境界位置で前記下壁部が前記係止片とともに前記上壁部から分離自在とすることを特徴とする容器の蓋であるので、容器本体に容器の蓋をワンタッチで装着でき、装着後、流通段階において悪戯等の目的で故意に容器の蓋を開封することができない構造であるとともに、開封する場合には、開封後の形跡がすぐに分かる改ざん防止機能に優れた容器の蓋であり、且つ、複数個の容器の蓋を上方に順に積み重ねした際に荷崩れが発生するか否かの状態、即ちスタック性を安定させることができる。
【発明を実施するための最良の形態】
【００１３】
図１乃至図６において、上面の天板部１と、前記天板部１の外周から下端へ延出した環状の側壁部２と、前記側壁部２の後述する下壁部２ｂの外側に突出して形成したスタックリブ部７とを有するポリプロピレンやポリエチレンなどの合成樹脂材でできた容器の蓋Ａである。前記側壁部２は環状の上壁部２ａと環状の下壁部２ｂとをその境界位置で切離が容易となるよう薄肉で形成された第一薄肉部５を介して連結されており、前記下壁部２ｂで外側に突出して形成された切離用摘み部６は、前記切離用摘み部６を周方向に摘んで引き剥がすことにより、前記第一薄肉部５で前記下壁部２ｂが前記係止部３およびスタックリブ部７とともに前記上壁部２ａから分離される構造である。
【００１４】
また、前記下壁部２ｂにはその内側で上方に傾斜して突出した爪形状の係止片３を周方向に適宜間隔で複数個形成するとともに、前記係止片の先端３ａと天板部１との間に容器本体嵌合部Ｂ１と嵌合する凹所４を設けることで、容器本体Ｂに容器の蓋Ａを装着したとき、容器本体嵌合部Ｂ１は前記係止片３を乗り越えてワンタッチで装着でき、装着後、係止片の先端３ａが容器本体嵌合部Ｂ１と嵌合しあうため、容器の蓋Ａを上方にめくり上げて開封しようとしても、容器本体嵌合部Ｂ１に前記係止片の先端３ａが引っかかるため、流通段階において悪戯等の目的で故意に容器の蓋Ａを開封することができない。更に、前記係止片３の設置個数については、均等間隔で６ヶ以上設置するのが望ましいが、均等間隔に３乃至４ヶ設置した場合であっても、改ざん防止機能の作用効果はある。また、前記係止片３の形状については、爪形状に限定されるものではなく、容器本体嵌合部Ｂ１に係止片の先端３ａが引っかかる形状であれば良い。
【００１５】
図５、図７及び図９において、前記切離用摘み部６は複数箇所の連結部６ａの少なくとも１つが前記下壁部２ｂと連結しているため、前記切離用摘み部６のめくれ防止作用を有し、前記切離用摘み部６は、前記下壁部２ｂの外側に突出しているので、開封時の前記切離用摘み部６のつまみ易さを有する。また、前記切離用摘み部６の端部で図７において下壁部２ｂとの間に隙間部８を形成し、前記隙間部８の位置で切離用摘み部６を手指で摘み引き上げて前記連結部６ａを前記下壁部２ｂから分離すると、前記第一薄肉部５に沿いながら前記下壁部２ｂが前記係止部３およびスタックリブ部７とともに容易に開封することができるため、開封後の形跡がすぐに分かる改ざん防止機能に優れた容器の蓋Ａとなる。
【００１６】
図３乃至図６及び図８において、前記下壁部２ｂの外側に突出したスタックリブ部７を形成することで、本発明の容器の蓋Ａの上に同方向の容器の蓋Ａを積み重ねていくと、下側に設置された容器の蓋Ａの側壁部２の前記スタックリブ部７の上に、上側に設置された容器の蓋Ａの下壁部の下端２ｂ１が設置され固定されるため、複数個の前記容器の蓋Ａを上方へ積み重ねた場合でも安定的に設置でき、保管スペースの省スペース化が図れ、保管ならびに輸送などのコスト低減できる。また、積み重ねてスタックすることによる荷崩れなどで発生する商品破損などの不良も発生しない。
【００１７】
図１０において、本発明の容器の蓋Ａの下壁部２ｂと係止片３とスタックリブ部７が切離された状態のものであり、開封後も、容器本体Ｂへ被せることは可能であるため、例えばアイスクリームなどの被注出物を食べ残した場合には、容器の蓋Ａを被せて保管することが可能であるので、外部からのホコリの進入を防ぐことができる。
【００１８】
本発明の異なる第２の実施形態を図１１乃至図１４に基づいて説明する。上面の天板部１と、前記天板部１の外周から下端へ延出した環状の側壁部２と、前記側壁部２の後述する上壁部２ａの外側に突出して形成したスタックリブ部７とを有するポリプロピレンやポリエチレンなどの合成樹脂材でできた容器の蓋Ａ１である。前記側壁部２は環状の上壁部２ａと環状の下壁部２ｂとをその境界位置で切離が容易となるよう薄肉で形成された第一薄肉部５１を介して連結されており、前記下壁部２ｂで外側に突出して形成された切離用摘み部６は、前記切離用摘み部６を周方向に摘んで引き剥がすことにより、前記第一薄肉部５１に沿いながら前記下壁部２ｂが前記係止部３とともに前記上壁部２ａから分離する構造である。
【００１９】
また、前記下壁部２ｂにはその内側で上方に傾斜して突出した爪形状の係止片３を周方向に適宜間隔で複数個形成するとともに、前記係止片の先端３ａと天板部１との間に容器本体嵌合部Ｂ１と嵌合する凹所４を設けるとともに、前記第一薄肉部５１の上に凸形状の嵌合部９を設けることで、容器本体Ｂに容器の蓋Ａ１を装着したとき、容器本体嵌合部Ｂ１は前記係止片３と嵌合部９を乗り越えてワンタッチで装着でき、装着後、係止片の先端３ａと嵌合部９が容器本体嵌合部Ｂ１と嵌合しあうため、容器の蓋Ａ１を上方にめくり上げて開封しようとしても、容器本体嵌合部Ｂ１に前記係止片の先端３ａが引っかかるため、流通段階において悪戯等の目的で故意に容器の蓋Ａ１を開封することができない。更に、前記係止片３の設置個数については、均等間隔で６ヶ以上設置するのが望ましいが、均等間隔に３乃至４ヶ設置した場合であっても、改ざん防止機能の作用効果はある。また、前記係止片３の形状については、爪形状に限定されるものではなく、容器本体嵌合部Ｂ１に係止片の先端３ａが引っかかる形状であれば良い。
【００２０】
図１５において、前記上壁部２ａにその外側に突出したスタックリブ部７を形成することで、本発明の容器の蓋Ａ１の上に同方向の容器の蓋Ａ１を積み重ねていくと、下側に設置された容器の蓋Ａ１の側壁部２の前記スタックリブ部７の上に、上側に設置された容器の蓋Ａ１の下壁部の下端２ｂ１が設置され固定されるため、複数個の前記容器の蓋Ａ１を上方へ積み重ねた場合でも安定的に設置でき、保管スペースの省スペース化が図れ、保管ならびに輸送などのコスト低減できる。また、積み重ねてスタックすることによる荷崩れなどで発生する商品破損などの不良も発生しない。
【００２１】
本発明の容器の蓋Ａ１の下壁部２ｂと係止片３とを切離した状態を図１６に示す。開封後に、容器本体Ｂに下壁部２ｂと係止片３を切離した容器の蓋Ａ１を装着したとき、容器本体嵌合部Ｂ１は前記嵌合部９を乗り越えてワンタッチで装着できるため、開封後も、容器本体Ｂへ被せることができるため、例えばアイスクリームなどの被注出物を食べ残した場合には、容器の蓋Ａ１を被せて保管することが可能であるので、外部からのホコリの進入を防ぐことができる。
【００２２】
図５において、図７及び図９で説明した隙間部８の異なる実施形態を図１７及び図１８に基づいて説明する。前記切離用摘み部６は複数箇所の連結部６ａの少なくとも１つが前記下壁部２ｂと連結しているため、前記切離用摘み部６のめくれ防止作用を有し、また、前記切離用摘み部６は、前記下壁部２ｂで外側に突出しているので、開封時の前記切離用摘み部６のつまみ易さを有する。また、前記切離用摘み部６の他端位置の下壁部２ｂに第二薄肉部８１を形成し、前記切離用摘み部６を手指で摘み引き上げて前記連結部６ａを前記下壁部２ｂから分離させ、薄肉で成形された前記境界位置である前記第一薄肉部５に沿いながら前記下壁部２ｂを切離して、前記下壁部２ｂが前記係止部３とともに前記上壁部２ａから前記第二薄肉部８１の位置で分離することで、容易に開封することができるため、開封後の形跡がすぐに分かる改ざん防止機能に優れた容器の蓋Ａとなる。また、本発明の異なる第２の実施形態に前記第二薄肉部８１を形成した場合であっても同じ効果を有する。
【図面の簡単な説明】
【００２３】
【図１】本発明の実施形態である容器の蓋を示す斜視図である。
【図２】図１の斜上視図である。
【図３】図１の平面図である。
【図４】図３記載のｙ−ｙ方向の断面図である。
【図５】図３記載のｚ−ｚ方向の断面図である。
【図６】図３記載のｘ−ｘ方向の断面図である。
【図７】同実施形態の摘み部周辺の平面図である。
【図８】同実施形態の容器の蓋を積み重ねてスタックする断面図である。
【図９】下壁部と係止片とスタックリブ部の一部切離された状態を示す同実施形態の平面図である。
【図１０】下壁部と係止片とスタックリブ部が切離された状態を示す同実施形態の断面図である。
【図１１】本発明の異なる実施形態を示す平面図である。
【図１２】図１１記載のｙａ−ｙａ方向の断面図である。
【図１３】図１１記載のｚａ−ｚａ方向の断面図である。
【図１４】図１１記載のｘａ−ｘａ方向の断面図である。
【図１５】図１１の容器の蓋を積み重ねてスタックする断面図である。
【図１６】図１１の下壁部と係止片が切離された状態を示す断面図である。
【図１７】図７の摘み部周辺の異なる実施形態を示す平面図である。
【図１８】図１７の下壁部と係止片とスタックリブ部の一部切離された状態を示す同実施形態の平面図である。
【符号の説明】
【００２４】
１        天板部
２        側壁部
２ａ      上壁部
２ｂ      下壁部
２ｂ１    下壁部の下端
３        係止片
３ａ      係止片の先端
４        凹所      
５        第一薄肉部
５１      第一薄肉部
６        摘み部
６ａ      連結部
７        スタックリブ部
８        隙間部
８１      第二薄肉部
９        嵌合部
Ａ        容器の蓋
Ａ１      容器の蓋
Ｂ        容器本体
Ｂ１      容器本体嵌合部
【図１】
2007216980.tif 000003
【図２】
2007216980.tif 000004
【図３】
2007216980.tif 000005
【図４】
2007216980.tif 000006
【図５】
2007216980.tif 000007
【図６】
2007216980.tif 000008
【図７】
2007216980.tif 000009
【図８】
2007216980.tif 000010
【図９】
2007216980.tif 000011
【図１０】
2007216980.tif 000012
【図１１】
2007216980.tif 000013
【図１２】
2007216980.tif 000014
【図１３】
2007216980.tif 000015
【図１４】
2007216980.tif 000016
【図１５】
2007216980.tif 000017
【図１６】
2007216980.tif 000018
【図１７】
2007216980.tif 000019
【図１８】
2007216980.tif 000020